(57)【要約】【課題】  ８の字に巻かれて折り曲げられた糸を、その収容体から円滑に引き出す。【解決手段】  間隔を置いて重なり合って配置され、一端部同士を結合部１０が結合している板状体２、４の内面の結合部１０から離れた位置に係合部２０、２２がそれぞれ設けられている。８の字状に巻かれた糸をその交差位置で折り曲げて、交差位置が結合部１０側に位置するように板状体２、４間に配置してある。折り曲げられた８の字の糸の２つの環の交差位置と反対側の部分が係合するように、係合部２０、２２は結合部１０と反対側に凸にそれぞれ形成されている。板状体２、４の内面の結合部１０に近い位置に拡幅部３４、３６が設けられており、拡幅部３４、３６は接触した環の径を拡大するように、交差位置の両側にそれぞれ接触し、先端面と板状体２、４の内面との距離が、係合部２０、２２の先端面と前記内面との距離以下の距離である。【選択図】  図１
2018064466.tif 000002
【特許請求の範囲】
【請求項１】
間隔を置いて重なり合って配置された第１及び第２の板状体と、
前記第１及び第２の板状体の一端部同士を結合している結合部と、
第１の板状体の第２の板状体側を臨む第１の面における前記結合部から離れた位置に設けられており、２つの環が交差位置で交差する８の字状に巻かれた条体を前記交差位置で前記２つの環が重なるように折り曲げて、前記交差位置が前記結合部側に位置するように前記第１及び第２の板状体間に配置したものの前記２つの環のうち一方の環の前記交差位置と反対側の部分が係合するように、前記結合部と反対側に凸に形成された第１の湾曲部と、
第２の板状体の第１の板状体側を臨む第２の面における前記結合部から離れた位置に設けられており、前記２つの環のうち他方の環の前記交差位置と反対側の部分が係合するように、前記結合部と反対側に凸に形成された第２の湾曲部と、
前記第１の面における前記結合部に近い位置に設けられており、前記一方の環の径を拡大するように、前記一方の環の前記交差位置の両側にそれぞれ接触し、第１の面と反対側にある先端面と前記第１の面との距離が、前記第１の湾曲部の第１の面と反対側にある第１の湾曲部の先端面と前記第１の面との距離以下の距離である第１の拡幅部と、
前記第２の面における前記結合部の近い位置に設けられており、前記他方の環の径を拡大するように、前記他方の環の前記交差位置の両側にそれぞれ接触し、前記第２の面と反対側にある先端面と前記第２の面との距離が、前記第２の湾曲部の第２の面と反対側にある第２の湾曲部の先端面と前記第２の面との距離以下の距離である第２の拡幅部とを、
有する条体の収容体。
【請求項２】
請求項１記載の条体の収容体において、前記第１の拡幅部の先端面が前記第１の面と平行な平面に形成され、前記第２の拡幅部の先端面が前記第２の面と平行な平面に形成されている条体の収容体。
【請求項３】
請求項２記載の条体の収容体において、前記第１の拡幅部の先端面は角形で、その角が丸められ、前記第２の拡幅部の先端面の角が丸められている条体の収容体。
【請求項４】
請求項１記載の条体の収容体において、前記第１の拡幅部は、前記第１の面側から前記第１の面と反対側に伸びた第１の胴部を有し、前記第１の拡幅部の先端面が前記第１の面と平行な平面に形成され、この先端面と前記第１の胴部との境界部が丸められ、前記第２の拡幅部は、前記第２の面側から前記第２の面と反対側に伸びた第２の胴部を有し、前記第２の拡幅部の先端面が前記第２の面と平行な平面に形成され、この先端面と前記第２の胴部との境界部が丸められている条体の収容体。
【請求項５】
請求項１記載の条体の収容体において、前記第１の湾曲部と前記第１の拡幅部とが一体に形成され、前記第２の湾曲部と前記第２の拡幅部とが一体に形成されている条体の収容体。
【請求項６】
請求項１記載の条体の収容体において、第１の湾曲部の先端部から第１の面に近づきながら前記結合部側に向かって伸びる第１の舌片と、第２の湾曲部の先端部から第２の面に近づきながら前記結合部側に向かって伸びる第２の舌片とが設けられている条体の収容体。
【請求項７】
請求項５記載の条体の収容体において、前記第１の湾曲部と、前記第１の拡幅部と、前記第１の舌片とが、一体に形成されて、これらと別個に形成された第１の板状体に取り付けられ、前記第２の湾曲部と、前記第２の拡幅部と、前記第２の舌片とが、一体に形成され、これらと別個に形成された第２の板状体に取り付けられている条体の収容体。
【請求項８】
請求項１乃至６いずれか記載の条体の収容体において、前記第１及び第２の板状体の周縁部間を繋ぐ壁が設けられ、この壁と前記第１及び第２の板状体とによって箱が形成されている条体の収容体。
【発明の詳細な説明】
【技術分野】
【０００１】
本発明は、条体、例えば糸、紐及びテープのような細長い物を収容する収容体に関し、特に、その引き出しを容易にしたものに関する。
【背景技術】
【０００２】
条体の収容体としては、例えば特許文献１に開示されたようなものがある。特許文献１に開示された技術では、第１及び第２の主壁が互いに平行に配置され、第１及び第２の主壁の端部が結合部によって結合されている。第１の主壁の内面に、第２の主壁側を向いて円柱状の第１の突出部が設けられている。第２の主壁の内面に、第１の主壁側を向いて円柱状の第２の突出部が設けられている。第１の突出部の先端から第１の主壁の内面の結合部まで第１の舌片が設けられている。第２の突出部の先端から第２の主壁の内面の結合部まで第３の舌片が設けられている。２つの環が交差位置で交差する８の字状に巻かれた糸を前記交差位置で前記２つの環が重なるように折り曲げて、これら２つの環の一方が第１の突出部に、他方が第２の突出部にそれぞれ掛けられている。
【先行技術文献】
【特許文献】
【０００３】
【特許文献１】特許第３８９９１１７号
【発明の概要】
【発明が解決しようとする課題】
【０００４】
特許文献１の技術によれば、８の字に巻かれた糸を収容体から引き出すことができるので、引き出された糸に巻き癖がつかない。しかし、糸は、第１及び第２の突出部間に巻かれており、しかも２つの環の交差位置付近で折りたたまれているので、第１及び第２の舌片が設けられていても、糸は交差位置付近で弛緩しやすい。従って糸を収容体から引き出す際、引き出される糸が、弛緩した交差位置付近に近づいた後に、交差位置を通り、交差位置から離れて行くが、その最中に弛緩している糸の部分と引っかかりやすく、円滑に引き出すことができなかった。この点は、糸に限らず、紐やテープにおいても生じる。
【０００５】
本発明は、８の字状に巻かれた条体を円滑に引き出すことができる、条体の収容体を提供することを目的とする。
【課題を解決するための手段】
【０００６】
本発明の一態様の条体収容体は、第１及び第２の板状体を有している。これら板状体は、間隔をおいて重なり合うように配置されている。第１及び第２の板状体は、例えば合成樹脂製、金属製または紙製とすることができ、形状は、第１及び第２の板状体どちらも、同一形状の矩形とすることもできるし、両端部の一方または双方が外部に凸に湾曲した同一形状のものとすることもできる。前記第１及び第２の板状体の一端部同士を結合部が結合している。第１の板状体の第２の板状体側を臨む第１の面における前記結合部から離れた位置に、第１の湾曲部が設けられている。２つの環が交差位置で交差する８の字状に巻かれた条体が、前記交差位置で前記２つの環が重なるように折り曲げられて、前記交差位置が前記結合部側に位置するように、前記第１及び第２の板状体間に配置される。これの前記２つの環のうち一方の環の前記交差位置と反対側の部分が係合するように、前記結合部と反対側に凸に、第１の湾曲部が形成されている。第２の板状体の第１の板状体側を臨む第２の面における前記結合部から離れた位置に第２の湾曲部が設けられている。前記２つの環のうち他方の環の前記交差位置と反対側の部分が係合するように、前記結合部と反対側に凸に第２の湾曲部が形成されている。条体としては、上述したように、糸、紐またはテープ等を使用することができる。前記第１の面における前記結合部に近い位置に第１の拡幅部が設けられている。第１の拡幅部は前記一方の環の交差位置に近い部分の径を拡大するように、前記一方の環の前記交差位置の両側にそれぞれ接触している。第１の面と反対側にある第１の拡幅部の先端面と前記第１の面との距離が、前記第１の湾曲部の第１の面と反対側にある第１の湾曲部の先端面と前記第１の面との距離以下である。前記第２の面における前記結合部の近い位置に第２の拡幅部が設けられている。第２の拡幅部は、前記他方の環の径の交差位置に近い部分を拡大するように、前記他方の環の前記交差位置の両側にそれぞれ接触している。前記第２の面と反対側にある先端面と第２の拡幅部の前記第２の面との距離が、前記第２の湾曲部の第２の面と反対側にある第２の湾曲部の先端面と前記第２の面との距離以下である。第１及び第２の湾曲部は、８の字状に巻かれた条体の２つの環の径がほぼ同じ場合には、互いに対応する位置に設けることもできるし、８の字状の巻かれた条体の２つの環の径が異なる場合には、係合される環の径に応じた位置に設けることもできる。第１及び第２の湾曲部は、前記結合部と反対側のみでなく、結合部と同じ側も湾曲したものとすることもできる。第１の拡幅部は、一方の環の交差位置の両側に接触するものであれば、両側位置それぞれに設けることもできるし、両側に接触するものを一体に形成することもできる。
【０００７】
このように構成された条体の収容体では、８の字状に巻いた条体をその交差位置で折り返して、２つの環の一方を第１の湾曲部に、他方の環を第２の湾曲部に係合させ、一方の環の交差位置付近を第１の拡幅部に接触させ、他方の環の交差位置付近を第２の拡幅部に接触させることができる。従って、交差位置付近で８の字に巻かれた条体は緊張状態にある。条体の引き出し側の先端が、第１の湾曲部側の一方の環にあるとすると、この状態から条体を引き出すと、条体は第１の湾曲部に係合していた部分が解け、次に第１の拡幅部付近の部分が解けるが、ここで、第１の拡幅部に接触していてかつ解かれていない条体は緊張状態にあるので、解かれつつある条体が緊張状態にある条体に接触しても、引っかかりにくく円滑に解くことができる。しかも、第１の拡幅部の高さが第１の湾曲部の高さ以下であるので、拡幅部付近で解かれた条体は、第１の拡幅部の先端部を通過して、即ち、交差位置付近にある他の条体の部分と接触することなく、引き出される。第２の湾曲部に係合している他方の環が解かれる場合も、同様である。従って、条体を円滑に収容体から引き出すことができる。
【０００８】
前記第１の拡幅部の先端面を前記第１の面と平行な平面に形成し、前記第２の拡幅部の先端面を前記第２の面と平行な平面に形成することもできる。このように構成すると、第１及び第２の拡幅部の先端部は平面であり、より円滑に条体が先端部上を通過する。
【０００９】
さらに、前記第１及び第２の拡幅部の先端面は角形で、それらの角をそれぞれ丸めることもできる。このように構成すると、角形であることで、条体の環の部分を充分に保持することができる上に、条体が解かれる場合に、条体が接触する角が丸められているので、条体が角に引っかかることがなく、容易に第１及び第２の拡幅部の先端部上に乗ることができる。
【００１０】
上述した態様の条体の収容体において、前記第１の拡幅部は、前記第１の面側から前記第１の面と反対側に伸びた第１の胴部を有するものとすることができる。この場合、前記第１の拡幅部の先端面が前記第１の面と平行な平面に形成され、この先端面と前記第１の胴部との境界部が丸められている。さらに、前記第２の拡幅部も、前記第２の面側から前記第２の面と反対側に伸びた第２の胴部を有し、前記第２の拡幅部の先端面が前記第２の面と平行な平面に形成され、この先端面と前記第２の胴部との境界部が丸められている。このように構成すると、第１及び第２の胴部に接触している条体が先端面に移動する際に、胴部と先端面との境界において条体が引っかかることがなく、円滑に先端面に移動することができる。
【００１１】
上記の態様の条体の収容体において、前記第１の湾曲部と前記第１の拡幅部とが一体に形成され、前記第２の湾曲部と前記第２の拡幅部とが一体に形成されているものとすることができる。このように構成すると、条体の２つの環の中途部分も、前記第１の湾曲部と前記第１の拡幅部との一体なもの及び、前記第２の湾曲部と前記第２の拡幅部との一体なものに、それぞれ接触するので、条体の環の形状を維持することができ、不用意に中途から条体が解けることを防止できる。
【００１２】
上記の態様の条体の収容体において、第１の湾曲部の先端部から第１の面に近づきながら前記結合部側に向かって伸びる第１の舌片と、第２の湾曲部の先端部から第２の面に近づきながら前記結合部側に向かって伸びる第２の舌片とを、設けることもできる。このように構成すると、条体の２つの環を第１及び第２の舌片と第１及び第２の板状体との間に挟み込むことができるので、不用意に中途から条体が解けることを防止できる。
【００１３】
さらに、前記第１の湾曲部と、前記第１の拡幅部と、前記第１の舌片とが、一体に形成されて、これらと別個に形成された第１の板状体に取り付けられ、前記第２の湾曲部と、前記第２の拡幅部と、前記第２の舌片とが、一体に形成され、これらと別個に形成された第２の板状体に取り付けられている。このように構成すると、一体に形成された第１の湾曲部、第１の拡幅部及び第１の舌片を第１の板状体に取り付け、一体に形成された第２の湾曲部、第２の拡幅部及び第２の舌片を第２の板状体に取り付けることによって、収容体を製造することができるので、その製造が容易になる。
【００１４】
上述した種々の形態のいずれかにおいて、前記第１及び第２の板状体の周縁部間を繋ぐ壁が設けられ、この壁と前記第１及び第２の板状体とによって箱を形成することもできる。壁は、第１及び第２の板状体の周縁部それぞれに設けることもできるし、第１及び第２の板状体のいずれか一方の周縁部に設けることもできる。このように第１及び第２の板状体を箱の一部とするように構成すると、販売時に収容体を別途箱に収容する必要がなく、製造が容易になる。
【発明の効果】
【００１５】
以上のように、本発明によれば、収容体からの条体の引き出しを円滑に行うことができる。
【図面の簡単な説明】
【００１６】
【図１】本発明の第1の実施形態の条体の収容体の縦断側面図である。
【図２】図１の条体の収容体の展開状態の背面図、縦断側面図及び正面図である。
【図３】本発明の第２の実施形態の条体の収容体の展開状態の縦断側面図及び正面図である。
【図４】本発明の第３の実施形態の条体の収容体の展開状態の部分省略縦断側面図及び部分省略正面図である。
【図５】本発明の第４の実施形態の条体の収容体の展開状態の部分省略正面図及び部分省略縦断側面図である。
【図６】本発明の第５の実施形態の条体の収容体の展開状態の部分省略正面図である。
【図７】本発明の第６の実施形態の条体の収容体の展開状態の部分省略正面図及び部分省略縦断側面図である。
【図８】本発明の第７の実施形態の条体の収容体の縦断側面図、展開状態の縦断側面図及び展開状態の平面図である。
【図９】本発明の第８の実施形態の条体の収容体の展開状態の部分省略平面図である。
【発明を実施するための形態】
【００１７】
本発明の第１の実施形態の条体の収容体１は、条体として例えばハリスのような釣り糸を８の字に巻いたものを収容するもので、箱型に例えば合成樹脂によって形成されている。
【００１８】
図１に示すように、収容体１は、第１及び第２の板状体２、４を有している。第１及び第２の板状体２、４は同一形状で、図２（ａ）、（ｃ）に示すように茄子型のものである。第１及び第２の板状体２、４は、両方の端部がそれぞれ外方に凸に湾曲した円弧状に形成されている。それらの円弧の径は、一方の端部の方が他方の端部よりも大きい。それら円弧は、互いの中心を一致させて所定の距離をおいて配置され、これら円弧の間を直線状の縁が繋いでいる。第１及び第２の板状体２、４は、図１に示すように、所定の間隔をおいて両者が重なり合うように、且つ、それぞれの一方の端部側が他方の端部側よりも低い位置にある傾斜状態に配置されている。
【００１９】
図２（ｂ）、（ｃ）に示すように、第１及び第２の板状体２、４の両方の端部及び直線状の縁には、周壁６、８がそれぞれ形成されている。図１に示すように第１及び第２の板状体２、４を互いに平行に配置した状態で、周壁６は、第２の板状体４側に伸び、周壁８は、第１の板状体２側に伸び、周壁６、８の先端面は、互いに接触している。これによって、収容体は箱型とされている。第１の板状体２及び周壁６によって半箱部７ａが形成され、第２の板状体４及び周壁８によって半箱部７ｂが形成されている。これら周壁６、８の一方の端部側の先端面に、収容体内部の糸を収容体の外部に引き出すための孔を構成する半円状の欠除部９、９が形成されている
【００２０】
図１に示すように、第１及び第２の板状体２、４の他方の端部間は、結合部１０によって結合されている。即ち、図２（ｂ）に示すように、第１及び第２の板状体２、４の他方の端部の周壁６、８は、第１及び第２の板状体２、４側を一部残して欠如されおり、その欠除部分間に嵌る帯状に結合部１０は形成されている。この結合部１０を、他方の端部に連結するために、図１（ａ）、（ｃ）に示すように連結体１２、１２が形成されている。図１に示すように第１及び第２の板状体２、４を重ねた状態で、結合部１０における両側に位置するように。側壁１４、１４が形成されている。これら側壁１４、１４には、後述するように８の字に巻いた釣り糸を収容した際に、その釣り糸の交差位置で釣り糸がばらけるのを防止するための紐やピンを通すための孔１５、１５がそれぞれ形成されている。
【００２１】
図１に示すように、第１の板状体２における第２の板状体４に臨む面、例えば内面の一方の端部に近い位置には、少なくとも一方の端部側が凸に形成された、例えば円筒状のボス１６が、第２の板状体４側に向かって突出するように形成されている。同様に第２の板状体４における第１の板状体２に臨む面、例えば内面の一方の端部に近い位置であって、ボス１６に対応する位置に、第１の板状体４側に向かって突出するように、少なくとも一方の端部側が凸に形成された、例えば円筒状のボス１８が、形成されている。
【００２２】
少なくとも一方の端部側が凸に形成された第１の湾曲部とされた例えば円筒状の係合部２０がボス１６の外面に嵌められている。係合部２０の先端面は、水平に形成されて、ボス１６の先端よりも第２の板状体４側に位置している。同様に、少なくとも一方の端部側が凸に形成された第２の湾曲部とされた例えば円筒状の係合部２２がボス１８の外面に、嵌められている。係合部２２は、係合部２０に対応する位置に位置し、その先端面は、水平に形成されて、ボス１８の先端よりも第１の板状体２側に位置している。
【００２３】
図１に示すように、係合部２０の先端面には、舌片２４が一体に形成されている。図２（ｃ）に示すように、係合部２０の先端面側にある部分は、係合部２０よりも大きく、板状体２の一方の端部側に水平に突出し、更に一方の端部及び周壁６の直線状部の結合部付近側にも水平に突出している。そして、一方の端部及び周壁６の直線状部の結合部付近側から結合部１０側に向かうに従って幅が狭くなりつつ、第１の板状体２に近づき、その先端は、結合部１０の近傍で第１の板状体２の内面に接触している。同様に、係合部２２の先端面にも舌片２６が形成されている。係合部２２の先端面側にある部分は、係合部２２よりも大きく、板状体２の一方の端部側に水平に突出し、一方の端部及び周壁８の直線状部の結合部付近側にも水平に突出している。そして、一方の端部及び周壁６の直線状部の結合部付近側から結合部１０側に向かうに従って幅が狭くなりつつ、第２の板状体４に近づき、その先端は、結合部１０の近傍で第２の板状体４の内面に接触している。
【００２４】
図１に示すように、舌片部２４の先端部と結合部１０との間にある第１の板状体２の部分における第２の板状体４を臨む面に、第１の板状体２と一体に筒状、例えば角柱状のボス２８が形成され、その中心がボス１６の中心と一致している。同様に、舌片部２６の先端部と結合部１０との間にある第２の板状体４の部分における第１の板状体２を臨む面に、第２の板状体と一体に筒状、例えば角柱状のボス３０が形成されている。ボス３０の中心がボス１８の中心と一致するようにボス３０は、ボス２８に対応する位置にある。
【００２５】
ボス２８に第１の拡幅部３４が、ボス３０に第２の拡幅部３６が被せられている。第１及び第２の拡幅部３４、３６は、ボス２８、３０の外面に接触している角柱状の胴部３４ａ、３６ａを有している。胴部３４ａ、３６ａの先端は、図１（ａ）に示すようにボス２８、３０の先端よりも突出している。拡幅部３４、３６の先端面３４ｂ、３６ｂは、平面上に形成され、それらの位置は、係合部２０、２２の先端面とほぼ同一の位置にある。これら先端面３４ｂ、３６ｂと胴部３４ａ、３６ａとの接合部は、それぞれ丸められており、先端面３４ｂ、３６ｂの各角も丸められている。また、拡幅部３４、３６の周壁６、８側にそれぞれある端部３４ｃ、３４ｄ間の距離及び３６ｃ、３６ｄ間の距離は、図２（ｃ）に示すようにそれぞれ係合部２０、２２の直径と同じにされている。
【００２６】
第２の板状体４の外面には、この収容体を衣服のポケット等に入れた際の留め具３８が形成されており、その根元部分の内部と、これに対応する第２の板状体４の位置とには、引き出された糸を間に挟んで止める糸係止部４０、４０が形成されている。
【００２７】
この収容体には、図２（ｃ）に示すように収容体を展開した状態で、第１及び第２の係合部２０、２２の間に、釣り糸が８の字に複数回巻かれる。釣り糸の巻き始めの端は、例えば係合部２０に固定されている。ここで、８の字状に巻かれた釣り糸は、２つの環と、これら２つの環の間にある交差位置が結合部１０のほぼ中央に位置し、一方の環は舌片２４と第１の板状体２との間に位置し、他方の環は舌片２６と第２の板状体４との間に位置する。さらに、一方の環の交差位置に近い部分が拡幅部３４の胴部３４ａの両端部３４ｃ、３４ｄに接触し、他方の環の交差位置に近い部分が拡幅部３６の胴部３６ａの両端部３６ｃ、３６ｄに接触している。
【００２８】
このように釣り糸が巻かれた状態で図１に示すように半箱型部７ａ上に半箱型部７ｂが重ねられて、折り曲げられた８の字状に巻かれた釣り糸が、収容体１内に収容される。なお、巻かれた釣り糸の先端、即ち巻き終わりの端は、舌片部２４、２６間を通って、欠除部９、９によって形成された開口から、収容体１の外部に引き出されている。但し、図２（ｃ）に示すように、その舌片部２４、２６間にある糸の部分の若干巻き始めに近い部分は、拡幅部３４の胴部３４ａの一方の端部側に接触している。この状態では、第１及び第２の舌片部２４、２６の第１及び第２の係合部２０、２２の周囲にある部分が釣り糸の２つの環が第１及び第２の係合部２０、２２から抜けることを防止している。また、第１及び第２の舌片部２４、２６の残りの部分が釣り糸の移動を拘束している。
【００２９】
この収容体１からの糸の引き出し方法は、特許文献１に記載されているので詳細な説明は省略する。ところで、従来の収容体では、拡幅部３４、３６が設けられていないので、交差位置付近で釣り糸が弛緩しやすく、この弛緩した状態にある釣り糸が釣り糸の引き出しによって解かれる場合、解かれた糸が付近にある弛緩した状態の釣り糸に絡みやすくなる。しかし、この収容体１では、拡幅部３４、３６を設けてあるので、交差位置付近にある拡幅部３４、３６によってその付近の釣り糸は緊張状態となっており、拡幅部３４、３６に接触している釣り糸が解かれても、解かれつつある釣り糸がその付近にある釣り糸の他の部分に絡みにくくなり、円滑に釣り糸を引き出すことができる。
【００３０】
更に、筐体１において、釣り糸を引き出すと、これから釣り糸の引き出そうとする部分が舌片部２４、２６の間にあるとき、拡幅部３４ａの胴部３４ａの端部３４ｃに接触していた釣り糸の部分が、胴部３４ａの先端面３４ｂ側に引っ張られる。このとき、胴部３４ａと先端面３４ｂとの境界面が丸められ、かつ先端面３４ｂの角が丸められているので、引っ張られている釣り糸は円滑に先端面３４ｂに移動し、釣り糸の他の部分に接触することなく、外部に引き出され、円滑に釣り糸を引き出すことができる。釣り糸の巻き方向が逆の場合にも、或いは釣り糸の巻き始めが係合部２２側にある場合にも対応できるように、先端面３４ｂと胴部３４ａとの接合部全域、先端面３４ｂの各角部が丸められている。拡幅部３６付近の糸が解かれる場合も同様に円滑に引き出される。
【００３１】
第１の板状体２と拡幅部３４の先端面３４ｂまでの距離が、第１の板状体２と第１の係合部２０の先端との距離よりも長いと、釣り糸の先端の位置よりも第１の板状体２からの距離が長い位置まで移動しなければならず、速やかに拡幅部３４の先端面３４ｂ上に移動しないので、第１の板状体２と拡幅部３４の先端面３４ｂまでの距離は、第１の板状体２と第１の係合部２０の先端との距離以下とされている。また、拡幅部３４の両端部３４ｃ、３４ｄ間の距離が第１の係合部２０の直径よりも長いと、釣り糸の先端をかなり大きな力で、端部３４ｄ側に引っ張らねば拡幅部３４の先端面３４ｂ側に釣り糸を移動させることができない。そこで、拡幅部３４の両端部３４ｃ、３４ｄ間の距離は第１の係合部２０の直径以下とされている。
【００３２】
図３（ａ）、（ｂ）に第２の実施形態の条体の収容体１ａを示す。この収容体１ａでは、舌片部２４と拡幅部３４とが一体に形成され、舌片部２６と拡幅部３６とが連結されている。他の構成は、第１の実施形態の条体の収容体１と同一であるので、同一部分には、同一符号を付して、その説明を省略する。この収容体１ａでは、舌片部２４と拡幅部３４とが一体に形成され、舌片部２６と拡幅部３６とが一体に形成されているので、これらの製造が容易に行える。
【００３３】
図４（ａ）、（ｂ）に第３の実施形態の条体の収容体１ｂを示す。この収容体１ｂでは、舌片部２４ａが、その先端部が係合部２０の近辺で第１の板状体２の内面に接触させてある。図示していないが、第２の板状体４にある舌片部２６ａも同様に係合部２２の近辺で第２の板状体４の内面に接触している。他の構成は、第１の実施形態の条体の収容体１と同一であるので、同一部分には、同一符号を付して、その説明を省略する。この構成では、第１及び第２の舌片部２４、２６は、主に釣り糸の２つの環が第１及び第２の係合部２０、２２から抜けることを防止するために使用されている。
【００３４】
図５（ａ）、（ｂ）に第４の実施形態の条体の収容体１ｃを示す。この収容体１ｃでは、第１の係合部２０ａ及び第１の拡幅部３４１が第１の板状体２と一体に形成され、かつ第１の舌片部２４ｂが第１の係合部２０ａの先端面に一体に形成され、かつ欠除部９側にのみ形成されている。図示していないが、第２の係合部２２ａ及び第１の係合部２０ａ及び第２の拡幅部３６１が第２の板状体４と一体に形成され、かつ第２の舌片部２６ｂが第２の係合部２２ａの先端面に一体に形成され、かつ欠除部９側にのみ形成されている。他の構成は、第１の実施形態の条体の収容体１と同一であるので、同一部分には、同一符号を付して、その説明を省略する。このように構成すると、第１の板状部２及び第２の板状部４上にそれぞれ形成されるものは、すべて第１の板状部２及び第２の板状部４に一体に形成されているので、その製造が容易になるし、その組み立て作業も容易になる。
【００３５】
図６（ａ）、（ｂ）に第５の実施形態の条体の収容体１ｄを示す。第１乃至第３の実施形態では、第１の板状体２に対し１つの拡幅部３４が設けられていたが、この収容体１ｄでは、拡幅部３４の両端部３４ｃ、３４ｄに相当する部分にのみ、小型の拡幅部３４２、３４３が、設けられている。図示していないが、第２の板状体４にも同様に小型の拡幅部３６２、３６３が設けられている。他の構成は、収容体１と同一であるので、同一部分には同一符号を付して、その説明を省略する。このように構成すると、拡幅部３４２、３４３が、拡幅部３４よりも小型化することができ、コストを低減することができる。
【００３６】
図７（ａ）、（ｂ）に第６の実施形態の条体の収容体１ｅを示す。第1の実施形態の収容体１では、第１の係合部２０及び第１の拡幅部３４が別個に形成されていたが、収容体１ｅでは、これらが一体に形成されて、第１の係合及び拡幅部４２とされている。即ち、第１の係合及び拡幅部４２は、第１の板状体２の内面上における欠除部９付近から結合部１０付近までに形成された同一幅の角柱状の胴部４２ａを有している。胴部４２ａの欠除部９側の端部４２ｂが、欠除部９側に凸である円弧状に形成されている。胴部４２ａの先端面４２ｃは、水平に形成され、その結合部１０側の端部４２ｄ側の角が丸められている。同様に先端面４２ｂと胴部４２ａとの端部４２ｄでの接合部分も丸められている。先端面４２ｂの欠除部９側には、更に欠除部９側に突出するように第１舌片部２４ｃが設けられている。なお、図示していないが、第２の板状体４にも、同様に第２の係合部及び拡幅部４４が設けられている。
【００３７】
この筐体１ｅでも、筐体１と同様に釣り糸を円滑に引き出すことができるが、胴部４２ａを有しているので、胴部４２ａの端部４２ｂ及び４２ｃ間にかけられた釣り糸の環の大部分を緊張状態とすることができるので、より円滑に釣り糸を筐体１ｅから引き出すことができる。
【００３８】
図８（ａ）、（ｂ）、（ｃ）に第７の実施形態の条体の収容体１ｆを示す。この収容体１ｆでは、第１及び第２の板状体２ａ、２ｂを矩形状に形成し、周壁６、８を削除し、更に留め具３８を削除したものである。他の構成は、第１の実施形態の収容体１と同一に形成されているので、同一部分には同一符号を付して、その説明を省略する。この収容体１は、特許文献１に開示されているように、収容体１ｆと別個に形成された箱に収容して使用するものである。
【００３９】
図９に第８の実施形態の条体の収容体１ｇを示す。この収容体１ｇは、上述した各収容体１乃至１ｆｅのいずれかにおいて、第１及び第２の板状体２、４の連結を、それらの他端部間に間隔をおいて配置した２つのストリップ状の結合部１０ａにおいて行ったものである。結合部１０ａは、各収容体１乃至１ｆｅで使用した結合部１０よりも幅が狭いものである。この収容体１ｇでは、間隔をあけて配置された２つの結合部１０ａを使用しているので、収容体１ｇを軽量化することができる。なお、第７の実施形態の収容体１ｆにおいても、２つの結合部１０ａを使用することができる。
【００４０】
上記の各実施形態の条体の収容体は、合成樹脂製としたが、これに限ったものではなく、例えば紙製または金属製とすることもできる。第１乃至第６の実施形態では、第１及び第２の板状体は茄子型のものを示したが、これに限ったものではなく、例えば両端部の湾曲部の直径が等しい小判型とすることもできるし、一方の端部の方が他方の端部よりも大きくそれぞれ外方に凸に湾曲した円弧状の２つの端部間が中心側に凸に湾曲したひょうたん型に形成することもできる。また、第７の実施形態の条体の収容体において、第２の実施形態の条体の収容体と同様に舌片部と拡幅部とを連結することもできるし、第３の実施形態の条体の収容体と同様に舌片部の形状を変更することもできるし、第４の実施形態の条体の収容体と同様に係合部及び拡幅部を板状体にそれぞれ一体に形成することもできるし、第５の実施形態の条体の収容体と同様に１つの環に対して２つの拡幅部を設けることもできるし、第６の実施形態の条体の収容体と同様に係合部及び拡幅部を一体に形成することもできる。
【符号の説明】
【００４１】
１  １ａ〜１ｇ  条体の収容体
２  ２ａ  第１の板状体
４  ４ａ  第２の板状体
６  ８  周壁
１０  結合部
２０  ２０ａ  第１の係合部（第１の湾曲部）
２２  第２の係合部（第２の湾曲部）
３４  ３４１  ３４２  ３４３  第１の拡幅部
３６  第２の拡幅部
４２  第１の係合部及び拡幅部
【図１】
2018064466.tif 000003
【図２】
2018064466.tif 000004
【図３】
2018064466.tif 000005
【図４】
2018064466.tif 000006
【図５】
2018064466.tif 000007
【図６】
2018064466.tif 000008
【図７】
2018064466.tif 000009
【図８】
2018064466.tif 000010
【図９】
2018064466.tif 000011
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
合成樹脂製で、同一形状の２つの半箱部を重ねて配置した形状であり、
前記重ねて配置した状態で、前記２つの半箱部は、同一形状の第１及び第２の板状体を有し、前記第１及び第２の板状体は間隔を置いて重なり合って配置され、第１及び第２の板状体の一端は他端と反対側に湾曲して凸に形成され、前記第１及び第２の板状体の他端同士が結合部によって結合され、第１及び第２の板状体の一端と他端とは、連結縁によって、それぞれ連結され、
第１の板状体の第２の板状体側を臨む第１の面における前記第１の板状体の前記一端及び連結縁から前記第２の板状体側に第１の周壁が突出し、第２の板状体の第１の板状体側を臨む第２の面における前記第２の板状体の前記一端及び連結縁から前記第１の板状体側に前記第１の周壁と同一の長さだけ第２の周壁が突出し、前記第１及び第２の周壁の突出端同士が接触し、
前記第１の面における前記結合部から離れた位置に第１の湾曲部が設けられており、２つの環が交差位置で交差する８の字状に巻かれた条体を前記交差位置で前記２つの環が重なるように折り曲げて、前記交差位置が前記結合部側に位置するように前記第１及び第２の板状体間に配置したものの前記２つの環のうち一方の環の前記交差位置と反対側の部分が前記第１の湾曲部に係合するように、前記第１の湾曲部の前記結合部と反対側が凸に形成され、
前記第２の面における前記結合部から離れた位置に第２の湾曲部が設けられており、前記２つの環のうち他方の環の前記交差位置と反対側の部分が前記第２の湾曲部に係合するように、前記第２の湾曲部の前記結合部と反対側が凸に形成され、
前記第１の面における前記一方の環内の前記結合部に近い位置に角形の第１の拡幅部が設けられており、前記第１の拡幅部は、前記一方の環の径を拡大するように、前記一方の環の前記交差位置よりそれぞれ前記連結縁側の位置に位置し、第１の面と反対側にある先端面と前記第１の面との距離が、前記第１の湾曲部の第１の面と反対側にある第１の湾曲部の先端面と前記第１の面との距離以下の距離であり、前記第１の拡幅部の前記結合部側の両端がそれぞれ丸められ、
前記第２の面における前記他方の環内の前記結合部に近い位置に角形の第２の拡幅部が設けられており、前記第２の拡幅部は、前記他方の環の径を拡大するように、前記他方の環の前記交差位置よりそれぞれ前記連結縁側の位置にそれぞれ位置し、前記第２の面と反対側にある先端面と前記第２の面との距離が、前記第２の湾曲部の第２の面と反対側にある第２の湾曲部の先端面と前記第２の面との距離以下の距離であり、前記第２の拡幅部の前記結合部側の両端がそれぞれ丸められている
条体の収容体。
【請求項２】
請求項１記載の条体の収容体において、前記第１の拡幅部の先端面が前記第１の面と平行な平面に形成され、前記第２の拡幅部の先端面が前記第２の面と平行な平面に形成されている条体の収容体。
【請求項３】
請求項１記載の条体の収容体において、前記第１の拡幅部は、前記第１の面側から前記第１の面と反対側に伸びた第１の胴部を有し、前記第１の拡幅部の先端面が前記第１の面と平行な平面に形成され、この先端面と前記第１の胴部との境界部が丸められ、前記第２の拡幅部は、前記第２の面側から前記第２の面と反対側に伸びた第２の胴部を有し、前記第２の拡幅部の先端面が前記第２の面と平行な平面に形成され、この先端面と前記第２の胴部との境界部が丸められている条体の収容体。
【請求項４】
請求項１記載の条体の収容体において、前記第１の湾曲部と前記第１の拡幅部とが一体に形成され、前記第２の湾曲部と前記第２の拡幅部とが一体に形成されている条体の収容体。
【請求項５】
請求項１記載の条体の収容体において、第１の湾曲部の先端部から第１の面に近づきながら前記結合部側に向かって伸びる第１の舌片と、第２の湾曲部の先端部から第２の面に近づきながら前記結合部側に向かって伸びる第２の舌片とが設けられている条体の収容体。
【請求項６】
請求項５記載の条体の収容体において、前記第１の湾曲部と、前記第１の拡幅部と、前記第１の舌片とが、一体に形成されて、これらと別個に形成された第１の板状体に取り付けられ、前記第２の湾曲部と、前記第２の拡幅部と、前記第２の舌片とが、一体に形成され、これらと別個に形成された第２の板状体に取り付けられている条体の収容体。
【手続補正２】
【補正対象書類名】明細書
【補正対象項目名】０００６
【補正方法】変更
【補正の内容】
【０００６】
本発明の一態様の条体収容体は、合成樹脂製で、同一形状の２つの半箱部を重ねて配置した形状である。前記重ねて配置した状態で、前記２つの半箱部は、同一形状の第１及び第２の板状体を有している。前記第１及び第２の板状体は間隔を置いて重なり合って配置され、第１及び第２の板状体の一端は他端と反対側に湾曲して凸に形成され、前記第１及び第２の板状体の他端同士が結合部によって結合され、第１及び第２の板状体の一端と他端とは、連結縁によって、それぞれ連結されている。第１の板状体の第２の板状体側を臨む第１の面における前記第１の板状体の前記一端及び連結縁から前記第２の板状体側に第１の周壁が突出し、第２の板状体の第１の板状体側を臨む第２の面における前記第２の板状体の前記一端及び連結縁から前記第１の板状体側に前記第１の周壁と同一の長さだけ第２の周壁が突出し、前記第１及び第２の周壁の突出端同士が接触している。前記第１の面における前記結合部から離れた位置に第１の湾曲部が設けられており、２つの環が交差位置で交差する８の字状に巻かれた条体を前記交差位置で前記２つの環が重なるように折り曲げて、前記交差位置が前記結合部側に位置するように前記第１及び第２の板状体間に配置したものの前記２つの環のうち一方の環の前記交差位置と反対側の部分が前記第１の湾曲部に係合するように、前記第１の湾曲部の前記結合部と反対側が凸に形成されている。前記第２の面における前記結合部から離れた位置に第２の湾曲部が設けられており、前記２つの環のうち他方の環の前記交差位置と反対側の部分が前記第２の湾曲部に係合するように、前記第２の湾曲部の前記結合部と反対側が凸に形成されている。前記第１の面における前記一方の環内の前記結合部に近い位置に角形の第１の拡幅部が設けられており、前記第１の拡幅部は、前記一方の環の径を拡大するように、前記一方の環の前記交差位置よりそれぞれ前記連結縁側の位置に位置し、第１の面と反対側にある先端面と前記第１の面との距離が、前記第１の湾曲部の第１の面と反対側にある第１の湾曲部の先端面と前記第１の面との距離以下の距離であり、前記第１の拡幅部の前記結合部側の両端がそれぞれ丸められている。前記第２の面における前記他方の環内の前記結合部に近い位置に角形の第２の拡幅部が設けられており、前記第２の拡幅部は、前記他方の環の径を拡大するように、前記他方の環の前記交差位置よりそれぞれ前記連結縁側の位置にそれぞれ位置し、前記第２の面と反対側にある先端面と前記第２の面との距離が、前記第２の湾曲部の第２の面と反対側にある第２の湾曲部の先端面と前記第２の面との距離以下の距離であり、前記第２の拡幅部の前記結合部側の両端がそれぞれ丸められている。条体としては、上述したように、糸、紐またはテープ等を使用することができる。第１及び第２の湾曲部は、８の字状に巻かれた条体の２つの環の径がほぼ同じ場合には、互いに対応する位置に設けることもできるし、８の字状の巻かれた条体の２つの環の径が異なる場合には、係合される環の径に応じた位置に設けることもできる。第１及び第２の湾曲部は、前記結合部と反対側のみでなく、結合部と同じ側も湾曲したものとすることもできる。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１６
【補正方法】変更
【補正の内容】
【００１６】
【図１】本発明の第１の実施形態の条体の収容体の縦断側面図である。
【図２】図１の条体の収容体の展開状態の背面図、縦断側面図及び正面図である。
【図３】本発明の第２の実施形態の条体の収容体の展開状態の縦断側面図及び正面図である。
【図４】本発明の第３の実施形態の条体の収容体の展開状態の部分省略縦断側面図及び部分省略正面図である。
【図５】本発明の第４の実施形態の条体の収容体の展開状態の部分省略正面図及び部分省略縦断側面図である。
【図６】本発明の第５の実施形態の条体の収容体の展開状態の部分省略正面図である。
【図７】本発明の第６の実施形態の条体の収容体の展開状態の部分省略正面図及び部分省略縦断側面図である。
【図８】本発明の参考例の条体の収容体の縦断側面図、展開状態の縦断側面図及び展開状態の平面図である。
【図９】本発明の第７の実施形態の条体の収容体の展開状態の部分省略平面図である。
【手続補正７】
【補正対象書類名】明細書
【補正対象項目名】００３８
【補正方法】変更
【補正の内容】
【００３８】
図８（ａ）、（ｂ）、（ｃ）に参考例の条体の収容体１ｆを示す。この収容体１ｆでは、第１及び第２の板状体２ａ、２ｂを矩形状に形成し、周壁６、８を削除し、更に留め具３８を削除したものである。他の構成は、第１の実施形態の収容体１と同一に形成されているので、同一部分には同一符号を付して、その説明を省略する。この収容体１は、特許文献１に開示されているように、収容体１ｆと別個に形成された箱に収容して使用するものである。
【手続補正８】
【補正対象書類名】明細書
【補正対象項目名】００３９
【補正方法】変更
【補正の内容】
【００３９】
図９に第７の実施形態の条体の収容体１ｇを示す。この収容体１ｇは、上述した各収容体１乃至１ｆｅのいずれかにおいて、第１及び第２の板状体２、４の連結を、それらの他端部間に間隔をおいて配置した２つのストリップ状の結合部１０ａにおいて行ったものである。結合部１０ａは、各収容体１乃至１ｆｅで使用した結合部１０よりも幅が狭いものである。この収容体１ｇでは、間隔をあけて配置された２つの結合部１０ａを使用しているので、収容体１ｇを軽量化することができる。なお、参考例の収容体１ｆにおいても、２つの結合部１０ａを使用することができる。
【手続補正９】
【補正対象書類名】明細書
【補正対象項目名】００４０
【補正方法】変更
【補正の内容】
【００４０】
第１乃至第６の実施形態では、第１及び第２の板状体は茄子型のものを示したが、これに限ったものではなく、例えば両端部の湾曲部の直径が等しい小判型とすることもできるし、一方の端部の方が他方の端部よりも大きくそれぞれ外方に凸に湾曲した円弧状の２つの端部間が中心側に凸に湾曲したひょうたん型に形成することもできる。また、参考例の条体の収容体において、第２の実施形態の条体の収容体と同様に舌片部と拡幅部とを連結することもできるし、第３の実施形態の条体の収容体と同様に舌片部の形状を変更することもできるし、第４の実施形態の条体の収容体と同様に係合部及び拡幅部を板状体にそれぞれ一体に形成することもできるし、第５の実施形態の条体の収容体と同様に１つの環に対して２つの拡幅部を設けることもできるし、第６の実施形態の条体の収容体と同様に係合部及び拡幅部を一体に形成することもできる。